(57)【要約】【課題】複数の電子機器のうち特定の電子機器から画像データを受信して表示する撮像装置を提供する。【解決手段】撮像装置は、被写体を撮像して画像データを生成する撮像部と、複数の電子機器のうち特定の電子機器から画像データを受信する通信部と、前記特定の電子機器から受信した画像データが示す画像を表示する表示部と、対象機器として予め登録された電子機器から受信した画像データが示す画像を前記表示部に表示させる制御部と、を備える。制御部は、第１の所定数内の電子機器を前記対象機器として登録する。制御部は、画像データを受信する電子機器の数を、前記第１の所定数よりも小さい第２の所定数以下に制限する。【選択図】図１
2020171042.tif 000002
【特許請求の範囲】
【請求項１】
被写体を撮像して画像データを生成する撮像部と、
複数の電子機器のうち特定の電子機器から画像データを受信する通信部と、
前記特定の電子機器から受信した画像データが示す画像を表示する表示部と、
対象機器として予め登録された電子機器から受信した画像データが示す画像を前記表示部に表示させる制御部と、を備え、
前記制御部は、
第１の所定数内の電子機器を前記対象機器として登録するとともに、
画像データを受信する電子機器の数を、前記第１の所定数よりも小さい第２の所定数以下に制限する、
撮像装置。
【請求項２】
前記制御部は、
前記複数の電子機器から受信した画像データが示す画像を区分して前記表示部に表示させる、請求項１に記載の撮像装置。
【請求項３】
前記制御部は、
前記電子機器に対する画像データの配信の許可／不許可を設定し、
前記撮像装置と前記電子機器との間で通信を確立したときに、既に画像データの配信を許可した電子機器の数が前記第２の所定数より少ない場合に、画像データの配信許可を示す情報を前記電子機器に送信する、
請求項１に記載の撮像装置。
【請求項４】
請求項１に記載の撮像装置に画像データを送信する機器であって、
被写体を撮像して画像データを生成する第２の撮像部と、
前記撮像装置に前記第２の撮像部により生成された画像データを送信する第２の通信部と、
前記撮像装置に対する画像データの送信を制御する第２の制御部と、
を備えた、電子機器。
【請求項５】
請求項３に記載の撮像装置に画像データを送信する機器であって、
被写体を撮像して画像データを生成する第２の撮像部と、
前記撮像装置に前記第２の撮像部により生成された画像データを送信する第２の通信部と、
前記撮像装置に対する画像データの送信を制御する第２の制御部と、
を備え、
前記第２の制御部は、前記撮像装置から前記画像データの配信許可を受けたときに、前記撮像装置に対して、前記第２の撮像部により生成された画像データを送信する、
電子機器。
【請求項６】
請求項１に記載の撮像装置と、
請求項４に記載の電子機器と、
を含む撮像システム。
【発明の詳細な説明】
【技術分野】
【０００１】
本開示は、外部機器から画像データを受信し、受信した画像データが示す画像を表示する撮像装置に関する。
【背景技術】
【０００２】
特許文献１は複数チャンネルの電子画像を合成する電子カメラを開示している。特許文献１に開示された電子カメラは、撮像手段で生成されたメイン電子画像に、取得手段で取得されたサブ電子画像を合成する。その際、サブ電子画像は、メイン電子画像のサイズを下回るサイズにサイズが調整されて合成される。また、サブ電子画像において有意な変化が生じたサブシーンを検知する。そのようなサブシーンが検知された場合、検知したサブシーンを表すサブ電子画像のサイズや合成態様を変更し、そのサブ電子画像を強調する。これにより、必要且つ十分な情報を観者に伝達し、合成画像の視認性を向上している。
【０００３】
また、特許文献２はマルチアングル撮影が可能な撮像装置（カメラ）を開示する。特許文献２の撮像装置（カメラ）は、他の撮影装置からの動画データを無線で受信し、他の撮影装置から受信した動画データと、自機で撮影した動画データとを合成して表示手段に表示する撮影装置を開示する。
【先行技術文献】
【特許文献】
【０００４】
【特許文献１】特開２０１４−１０７７７５号公報
【特許文献２】特開２００７−１７３９６３号公報
【発明の概要】
【発明が解決しようとする課題】
【０００５】
本開示は、外部機器から画像データを受信し、受信した画像データが示す画像を表示する際に通信回線の帯域不足による画質の劣化を低減する撮像装置を提供する。
【課題を解決するための手段】
【０００６】
本開示の第１の態様において、撮像装置が提供される。撮像装置は、被写体を撮像して画像データを生成する撮像部と、複数の電子機器のうち特定の電子機器から画像データを受信する通信部と、特定の電子機器から受信した画像データが示す画像を表示する表示部と、対象機器として予め登録された電子機器から受信した画像データが示す画像を前記表示部に表示させる制御部と、を備える。制御部は、第１の所定数内の電子機器を前記対象機器として登録する。制御部は、画像データを受信する電子機器の数を、第１の所定数よりも小さい第２の所定数以下に制限する。
【０００７】
本開示の第２の態様において、上記の撮像装置に画像データを送信する電子機器が提供される。電子機器は、被写体を撮像して画像データを生成する第２の撮像部と、撮像装置に第２の撮像部により生成された画像データを送信する第２の通信部と、撮像装置に対する画像データの送信を制御する第２の制御部と、を備える。
【発明の効果】
【０００８】
本開示によれば、撮像装置において、画像データを受信する外部機器の数を制限することから、通信回線の帯域不足による画像再生時の画質の劣化を低減することができる。
【図面の簡単な説明】
【０００９】
【図１】ビデオカメラとスマートフォンとを含む撮像システムの構成を示す図
【図２】ビデオカメラの電気的構成図
【図３】スマートフォンの電気的構成図
【図４】マルチワイプ機能により表示される画像の例を示した図
【図５】ビデオカメラとスマートフォンのそれぞれで撮像される画像を説明した図
【図６】サブカメラの登録動作を説明するための図
【図７】サブカメラの登録情報を説明した図
【図８】ビデオカメラにおける画像配信動作に関する処理を示すフローチャート
【図９】スマートフォンにおける画像配信動作に関する処理を示すフローチャート
【図１０】画像配信許可時のビデオカメラとスマートフォン間の通信を示すシーケンス図
【図１１】スマートフォンの接続に伴うワイプ画像の追加を説明した図
【図１２】画像配信不許可時のビデオカメラとスマートフォン間の通信を示すシーケンス図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
図１は、実施の形態１にかかるビデオカメラとスマートフォンを含む撮像システムの構成を示す図である。ビデオカメラ１００は、複数のスマートフォン２００ａ〜２００ｃと通信を確立することができ、複数のスマートフォン２００ａ〜２００ｃから画像データ（動画データ）を同時に受信することができる。
【００１２】
〔１．構成〕
以下、実施の形態１にかかるビデオカメラ１００およびスマートフォン２００ａ〜２００ｃの構成について説明する。なお、以下の説明において、スマートフォン２００ａ〜２００ｃを区別なく説明する場合、スマートフォンに対して符号「２００」を用いる。
【００１３】
〔１−１．ビデオカメラの構成〕
図２は、ビデオカメラ１００の電気的構成図である。ビデオカメラ１００は、光学系１１０を介して形成された被写体像を画像センサ１１５で撮像する。画像センサ１１５は撮像した被写体像に基づく撮像データ（ＲＡＷデータ）を生成する。画像処理部１２０は、撮像により生成された撮像データに対して各種処理を施して画像データを生成する。コントローラ１３５は、画像処理部１２０にて生成された画像データを記録媒体１４５に記録する。また、コントローラ１３５は、記録媒体１４５に記録された画像データを、使用者による操作部１５０の操作を受け付けて液晶モニタ１３０上に表示させること（再生）ができる。
【００１４】
光学系１１０は、フォーカスレンズ、ズームレンズ、光学式手ぶれ補正レンズ（ＯＩＳ）、絞り、シャッタ、等を含む。光学系１１０に含まれる各種レンズは、何枚から構成されるものであっても、何群から構成されるものであってもよい。
【００１５】
画像センサ１１５は、光学系１１０を介して形成された被写体像を撮像して撮像データを生成するデバイスである。画像センサ１１５は、所定のフレームレート（例えば、３０フレーム／秒）で画像データ（動画データ）を生成する。画像センサ１１５における、撮像データの生成タイミングおよび電子シャッタ動作は、コントローラ１３５によって制御される。なお、画像センサ１１５は例えば、ＣＣＤイメージセンサ、ＣＭＯＳイメージセンサまたはＮＭＯＳイメージセンサで構成される。
【００１６】
画像処理部１２０は、画像センサ１１５から出力された撮像データに対して各種の処理を施して画像データを生成する回路である。また、画像処理部１２０は、記録媒体１４５から読み出した画像データに各種の処理を施して、液晶モニタ１３０に表示するための画像を生成する。各種処理としては、ホワイトバランス補正、ガンマ補正、ＹＣ変換処理、電子ズーム処理、圧縮処理、伸張処理等が挙げられるが、これらに限定されない。画像処理部１２０は、ハードワイヤードな電子回路で構成してもよいし、プログラムを用いたマイクロコンピュータなどで構成してもよい。
【００１７】
液晶モニタ１３０は、例えば、ビデオカメラ１００本体の側面において開閉可能に取り付けられた筐体に備わる。液晶モニタ１３０は、画像処理部１２０にて処理された画像データに基づく画像を表示する。なお、表示装置として、液晶モニタに代えて、有機ＥＬモニタなど、他のモニタを用いてもよい。
【００１８】
コントローラ１３５は、ビデオカメラ１００全体の動作を統括制御する。コントローラ１３５は、ＣＰＵまたはＭＰＵを含み、所定のプログラムを実行することで、後述するビデオカメラ１００の機能を実現する。また、コントローラ１３５は、画像処理部１２０などと共に１つの半導体チップに集積されてもよい。また、コントローラ１３５は内部にＲＯＭ（図示せず）を有している。ＲＯＭには、他の通信機器とのＷｉＦｉ通信を確立するために必要なＳＳＩＤ（Ｓｅｒｖｉｃ Ｓｅｔ Ｉｄｅｎｔｉｆｉｅｒ）、ＷＥＰキー（Ｗｉｒｅｄ Ｅｑｕｉｖａｌｅｎｔ Ｐｒｉｖａｃｙ Ｋｅｙ）が記憶されている。コントローラ１３５は、必要に応じて、ＲＯＭからＳＳＩＤ、ＷＥＰキーを読み出すことができる。また、ＲＯＭには、オートフォーカス制御（ＡＦ制御）や、通信制御に関するプログラムの他、ビデオカメラ１００全体の動作を統括制御するためのプログラムが記憶されている。
【００１９】
バッファメモリ１２５は、画像処理部１２０やコントローラ１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。
【００２０】
記録制御部１４０は、記録媒体１４５に対して画像データの記録や記録媒体１４５から画像データを再生するための装置である。記録媒体１４５は、内部にフラッシュメモリを備えたＳＳＤ（Solid State Drive）である。記録媒体１４５はＳＳＤに代えて、ハードディスク（ＨＤＤ）または着脱可能なメモリカードで構成してもよい。記録媒体１４５は、画像処理部１２０で生成される画像データなどのデータを格納できる。
【００２１】
操作部１５０は、使用者による操作を受け付けるユーザインタフェースであり、操作釦、操作レバー，タッチパネル等を含む。操作部１５０は使用者による操作を受け付けると、コントローラ１３５に種々の動作指示信号を通知する。
【００２２】
ＷｉＦｉモジュール１５５は、通信規格ＩＥＥＥ８０２．１１に準拠した通信を行う通信モジュール（電子回路）である。ビデオカメラ１００は、ＷｉＦｉモジュール１５５を介して、ＷｉＦｉモジュールを搭載した他の外部機器（例えば、スマートフォン２００ａ〜２００ｃ）と通信することができる。ビデオカメラ１００は、ＷｉＦｉモジュール１５５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。
【００２３】
〔１−２．スマートフォンの構成〕
図３は、スマートフォン２００の電気的構成図である。スマートフォン２００は、画像センサ２０３により、光学系２０１を介して受信した被写体像から画像データ（動画データ）を生成する。スマートフォン２００はＷｉＦｉモジュール２３５を介してビデオカメラ１００と通信可能である。スマートフォン２００は、生成した画像データを、ＷｉＦｉモジュール２３５を介してビデオカメラ１００に送信することができる。
【００２４】
画像処理部２０５は、画像センサ２０３で生成された画像データに各種の処理を施して、液晶モニタ２１５に表示するための画像（ライブビュー画像）を生成する。各種処理としては、伸張処理等が挙げられるが、これらに限定されない。画像処理部２０５は、ハードワイヤードな電子回路で構成してもよいし、プログラムを用いたマイクロコンピュータなどで構成してもよい。
【００２５】
タッチパネル２１０は、使用者の指等の接触を検出して操作情報をコントローラ２２５に出力する入力デバイスである。タッチパネル２１０は、液晶モニタ２１５の表面に配置されている。タッチパネル２１０は、抵抗膜方式でも、静電容量方式でも、他の方式であっても構わない。
【００２６】
液晶モニタ２１５は、コントローラ２２５から指示された画面を表示する表示デバイスである。液晶モニタに代えて、他の種類の表示デバイス（例えば、有機ＥＬモニタ）を用いてもよい。
【００２７】
バッファメモリ２２０は、コントローラ２２５が各種処理動作を実行するために必要な情報を一時的に格納するメモリである。
【００２８】
コントローラ２２５は、スマートフォン２００を構成する各部の動作を制御する。コントローラ２２５は、画像処理部２０５、タッチパネル２１０、液晶モニタ２１５、バッファメモリ２２０、操作部２３０、ＷｉＦｉモジュール２３５及びフラッシュメモリ２４５に電気的に接続されている。コントローラ２２５はＣＰＵまたはＭＰＵを含み、所定のプログラム（以下「画像配信アプリケーション」という）を実行することで、後述するスマートフォン２００の機能を実現する。画像配信アプリケーションはフラッシュメモリ２４５に格納される。
【００２９】
ＷｉＦｉモジュール２３５は、通信規格ＩＥＥＥ８０２．１１に準拠した通信を行う通信モジュール（回路）である。スマートフォン２００は、ＷｉＦｉモジュール２３５を介して、ＷｉＦｉモジュールを搭載した他の通信機器と通信することができる。スマートフォン２００は、ＷｉＦｉモジュール２３５を介して、他の通信機器と直接通信を行ってもよいし、アクセスポイント経由で通信を行ってもよい。なお、ＷｉＦｉモジュールに換えて、通信規格８０２．１５．１すなわち、Ｂｌｕｅｔｏｏｔｈ（登録商標）に準拠した通信を行う通信モジュールを使用しても構わない。すなわち、通信モジュールとして、比較的通信ビットレートが高く、通信エリアが数メートル以上である通信が可能な通信モジュールを使用すればよい。
【００３０】
スマートフォン２００は、ＷｉＦｉモジュール２３５を介してビデオカメラ１００と通信可能であり、画像データをビデオカメラ１００に送信したり、ビデオカメラ１００から受信したりすることができる。
【００３１】
フラッシュメモリ（以下単に「メモリ」という。）２４５は、スマートフォン２００で撮影した画像データ及びビデオカメラ１００から転送された画像データ等を格納する。
【００３２】
スマートフォン２００は、電話機能やインターネット通信機能を備える。また、スマートフォン２００は、光学系２０１及び画像センサ２０３を含む第１の撮像部（メインカメラ）に加えて、第２の撮像部（サブカメラ）を備えても良い。この場合、マルチワイプ機能（詳細は後述）として、第１の撮像部で撮影した画像に対して第２の撮像部で撮影した画像を重畳してもよい。
【００３３】
〔２．動作〕
〔２．１  マルチワイプ機能〕
以下、マルチワイプ機能について説明する。ビデオカメラ１００は、複数の外部の電子機器をサブカメラとして使用することができる。ビデオカメラ１００は、複数の電子機器で撮影した画像（動画）を各電子機器から受信し、ビデオカメラ１００で撮影した画像（動画）の一部の領域に重畳（合成）して表示、記録することができる。この機能を「マルチワイプ機能」という。本実施形態では、スマートフォンをサブカメラとして使用している。
【００３４】
ビデオカメラ１００は、スマートフォン２００ａ〜２００ｃに対してＷｉＦｉモジュール１５５を介してＷｉＦｉ通信を行うことができる。マルチワイプ機能実行時において、ビデオカメラ１００は、スマートフォン２００ａ〜２００ｃからスマートフォン２００ａ〜２００ｃで撮影した画像を示す画像データ（動画データ）を受信する。そして、ビデオカメラ１００は、ビデオカメラ１００自体で撮影した画像（動画）の一部にスマートフォン２００ａ〜２００ｃから受信した画像（動画）を重畳（合成）した画像を生成し、液晶モニタ１３０に表示するとともに、ユーザ操作にしたがい記録媒体１４５に記録する。
【００３５】
図４は、マルチワイプ機能においてビデオカメラ１００の液晶モニタ１３０に表示される画像の一例を説明した図である。図４に示すように、ビデオカメラ１００で撮影した画像（以下「メイン画像」という）３００に、スマートフォン２００ａ、２００ｂから受信した画像がワイプ画像３０１、３０２として重畳されている。この場合、図５に示すように、ビデオカメラ１００は、画像３００ａを示す画像データを生成する。スマートフォン２００ａは画像３０１ａを生成し、スマートフォン２００ｂは画像３０２ａを生成する。ビデオカメラ１００は、スマートフォン２００ａ及び２００ｂから、画像３０１ａ、３０２ａを示す画像データを受信する。そして、ビデオカメラ１００は、ビデオカメラ１００で撮影した画像３００ａに対してスマートフォン２００ａ、２００ｂから受信した画像データが示す画像３０１ａ、３０２ａをワイプ画像として重畳する。これにより、図４に示すようなメイン画像３００にワイプ画像３０１、３０２が重畳された合成画像が生成される。図４に示す状態で、ビデオカメラ１００においてユーザにより動画記録の開始を指示する所定の操作がなされると、メイン画像３００にワイプ画像３０１、３０２が重畳された状態で動画が記録される。
【００３６】
本実施形態のビデオカメラ１００は、マルチワイプ機能のためのサブカメラとして使用する外部機器を予め登録している。図６はその登録動作を説明するための図である。図６において、画面１３１はビデオカメラ１００の液晶モニタ１３０に表示される設定画面の一例である。ビデオカメラ１００の操作部１５０において所定の操作を行うことで設定画面１３１が表示される。設定画面１３１において、種々の機能を設定するための複数のアイコンが表示されている。設定画面１３１上で、ユーザによりマルチワイプ機能設定用のアイコン１３１ａが選択されると、登録画面１３２が表示される。ユーザは登録画面１３２において、マルチワイプ機能におけるサブカメラとして使用される外部機器を登録することができる。登録画面１３２上では、登録する外部機器の機器名を入力する。登録画面１３２上での登録が完了すると、サブカメラ登録情報が生成（または更新）される。図７は、サブカメラ登録情報のデータ構成を示す図である。サブカメラ登録情報は、サブカメラとして登録される外部機器の機器名を管理している。サブカメラ登録情報はビデオカメラ１００内の記録媒体１４５に格納される。図６、図７の例では、３台のスマートフォン２００ａ、２００ｂ、２００ｃ（機器名：smart_phone_a, smart_phone_b, smart_phone_c）が登録されている。
【００３７】
本実施形態のビデオカメラ１００において、マルチワイプ機能のためのサブカメラとして登録可能な機器の数の上限値（以下「第１の所定数」という）が設定されている。本実施形態では、第１の所定数は一例として「３」に設定される。すなわち、ビデオカメラ１００において、サブカメラとして３台までの外部機器を登録することができる。
【００３８】
また、マルチワイプ機能において、ビデオカメラ１００に対して画像データの配信を許可する外部機器（サブカメラ）の数の上限値（以下「第２の所定数」という）も設定されている。第２の所定数は、第１の所定数よりも小さい値に設定され、本実施形態では、一例として「２」に設定される。このようにビデオカメラ１００に対して、スマートフォンからは同時に２台までしか画像を配信することができないようになっている。これは、ビデオカメラ１００が、３台のスマートフォンから同時に画像データを受信した場合、通信帯域が不足し、ビデオカメラ１００において、受信した画像データを再生した場合にコマ落ちや遅延が発生し、画質の劣化を招くためである。本実施形態では、画像データを配信する外部機器（サブカメラ）の数を、サブカメラとして登録可能な機器の数よりも小さい数に制限することにより、画像データ配信のための通信帯域を確保し、受信した画像データの再生時の画質の劣化を防止している。
【００３９】
〔２−２．ビデオカメラとスマートフォン間の通信動作〕
図８〜図１１を用いて、マルチワイプ機能に関連するビデオカメラ１００とスマートフォン２００の通信動作について説明する。
【００４０】
図８は、ビデオカメラ１００におけるマルチワイプ機能に関する動作を示すフローチャートである。
【００４１】
ビデオカメラ１００のコントローラ１３５は、ＷｉＦｉ通信において接続可能なスマートフォン２００を検出すると（Ｓ１１）、検出したスマートフォンに対してＷｉＦｉ規格にしたがい接続処理（すなわち、ＷｉＦｉ通信の確立）を行う（Ｓ１２）。このため、ビデオカメラ１００は、接続すべきスマートフォン２００に対して、ＷｉＦｉ通信での接続に必要な接続情報（ＳＳＩＤ、ＷＥＰキー等）を保持している。
【００４２】
接続処理が完了すると、スマートフォン２００からビデオカメラ１００に画像データを送信するための専用アプリケーション（以下「ＩｍａｇｅＡｐｐ」という）を起動し、ＩｍａｇｅＡｐｐ接続処理を行う（Ｓ１３）。ＩｍａｇｅＡｐｐ接続処理内でコントローラ１３５は、接続したスマートフォン２００がサブカメラ登録情報（図７参照）に登録されているか否かを判断する（Ｓ１４）。
【００４３】
接続したスマートフォン２００がサブカメラ登録情報に登録されていない場合（Ｓ１４でＮＯ）、ＩｍａｇｅＡｐｐ接続処理が完了せず終了する（スマートフォン２００に対してエラー応答を返す）。
【００４４】
一方、接続したスマートフォン２００がサブカメラ登録情報に登録されている場合（Ｓ１４でＹＥＳ）、コントローラ１３５は、現時点で既にビデオカメラ１００への画像配信が許可されているスマートフォン２００（サブカメラ）の数が、第２の所定数（本例では「２」）未満か否かを判断する（Ｓ１５）。ここで、第２の所定数は、画像データの配信を許可する外部機器の数の上限値である。なお、コントローラ１３５は、画像配信を許可したスマートフォン２００の数をカウントすることで管理している。
【００４５】
既に画像配信が許可されたスマートフォン２００（サブカメラ）の数が第２の所定数（本例では「２」）以上である場合（Ｓ１５でＮＯ）、コントローラ１３５は、そのスマートフォン２００に対して、画像配信の不許可を設定する（Ｓ１７）。そして、スマートフォン２００からカメラ情報の要求を受信したときに、コントローラ１３５は、画像配信の不許可を示す情報をカメラ情報に含めて送信する（Ｓ１７）。カメラ情報は、画像配信の不許可を示す情報以外にも、ビデオカメラ１００の状態を示す種々の情報を含む。例えば、カメラ情報は、ビデオカメラ１００が録画中であるか否かを示す情報や、ワイプ機能がオンになっているか否かを示す情報を含む。
【００４６】
一方、画像配信が許可されたスマートフォン２００（サブカメラ）の数が第２の所定数に未満の場合（Ｓ１５でＹＥＳ）、コントローラ１３５は、そのスマートフォン２００に対して、画像配信の許可を設定する（Ｓ１６）。このとき、コントローラ１３５は、画像配信が許可されているスマートフォンの数を示すカウンタを１だけカウントアップする。コントローラ１３５は、スマートフォン２００からカメラ情報の要求を受信したときに、画像配信の許可を示す情報をカメラ情報に含めて送信する（Ｓ１６）。スマートフォン２００は、ビデオカメラ１００から画像配信の許可を示す情報を受信した場合、スマートフォン２００で撮影した画像を示す画像データのビデオカメラ１００への配信を開始する。
【００４７】
以上のように、ビデオカメラ１００は３台までスマートフォン２００の接続を許可するが、２台までのスマートフォン２００からしか画像データの配信を許可しない。このような制御により、通信帯域の不足を抑制し、マルチワイプ機能実行時に記録（又は表示）される画像データの画質劣化を低減することができる。
【００４８】
図９は、スマートフォン２００におけるマルチワイプ機能に関する動作を示すフローチャートである。図９に示す処理は、スマートフォン２００のコントローラ２２５が画像配信アプリケーションを実行することで実現される。
【００４９】
スマートフォン２００のコントローラ２２５は、ビデオカメラ１００との間でＷｉＦｉ通信の接続処理を行う（図８のステップＳ１２参照）（Ｓ２１）。コントローラ２２５はＩｍａｇｅＡｐｐを起動し、ＩｍａｇｅＡｐｐ接続処理を行う（図８のステップＳ１３参照）（Ｓ２２）。コントローラ２２５は、カメラ情報を、ビデオカメラ１００に対して要求し、受信する（Ｓ２３）。ビデオカメラ１００は、スマートフォン２００からカメラ情報の要求を受けると、画像配信の許可／不許可を示す情報を、カメラ情報に組み込んでスマートフォン２００に送信する（図８のステップＳ１６、１７参照）。コントローラ２２５は、受信したカメラ情報に含まれる画像配信の許可／不許可を示す情報を確認する（Ｓ２４）。
【００５０】
カメラ情報において画像配信の許可を示す情報を受信した場合（Ｓ２４でＹＥＳ）、コントローラ２２５は、スマートフォン２００で撮像した画像の画像データをＷｉＦｉモジュール２３５を介してビデオカメラ１００に送信する。
【００５１】
一方、カメラ情報において画像配信の許可を示す情報を受信しなかった場合、すなわち、画像配信の不許可を示す情報を受信した場合（Ｓ２４でＮＯ）、コントローラ２２５は、ビデオカメラ１００に対して画像データの送信は行わず（Ｓ２６）、ステップＳ２３に戻り、ビデオカメラ１００に対してカメラ情報を再度要求する。ビデオカメラ１００は、スマートフォン２００からカメラ情報の要求を受けると、スマートフォン２００に対してカメラ情報を送信する。その際、ビデオカメラ１００のコントローラ１３５は、画像配信許可に関する最新の状態に基づき、画像配信の許可／不許可を示す情報を新たに設定し、カメラ情報に組み込んでスマートフォン２００に送信する。例えば、ビデオカメラ１００のコントローラ１３５は、画像配信を許可したスマートフォン２００から画像データを所定時間受信できなかった場合、そのスマートフォン２００に対する接続を遮断する。それとともに、コントローラ１３５は画像配信が許可されているスマートフォンの数を示すカウンタを１だけ減じる。
【００５２】
その後、スマートフォン２００のコントローラ２２５は、カメラ情報を受信すると（Ｓ２３）、画像配信の許可／不許可を示す情報に基づき画像データを配信するか否かを判断する（Ｓ２４〜Ｓ２６）。
【００５３】
すなわち、スマートフォン２００のコントローラ２２５は、ビデオカメラ１００から画像配信の許可を示す情報を受信するまで、ビデオカメラ１００に対して定期的にカメラ情報を要求する。これにより、スマートフォン２００のコントローラ２２５は、自機に対して画像配信が許可された状態になったか否かを判断し、画像配信が許可された状態になった場合に、画像データの配信を開始する。この制御により、例えば、３台のスマートフォン２００ａ〜２００ｃがビデオカメラ１００に接続され、最後に接続されたスマートフォン２００ｃに対して画像配信が不許可の状態において、画像配信が許可された２台のスマートフォン２００ａ、２００ｂのうちの少なくとも１つの画像配信が停止した場合に、即座に、最後に接続されたスマートフォン２００ｃからの画像配信を開始することが可能となる。
【００５４】
図１０は、画像配信が許可された場合のビデオカメラ１００とスマートフォン２００の間のデータ通信のシーケンス図である。図１１は、スマートフォン２００の接続に伴うワイプ画像の追加を説明した図である。図１２は、画像配信が許可されなかった場合のビデオカメラ１００とスマートフォン２００の間のデータ通信のシーケンス図である。
【００５５】
図１０に示すように、スマートフォン２００に対する画像配信が許可されている場合、スマートフォン２００は、ビデオカメラ１００とスマートフォン２００の接続終了後にビデオカメラ１００に対してライブ映像を示す画像データを送信する。
【００５６】
図１１（Ａ）は、ビデオカメラ１００にスマートフォン２００が接続されていないときのビデオカメラ１００の液晶モニタ１３０に表示される画像を示す。図１１（Ａ）では、ビデオカメラ１００により撮影されたメイン画像３００のみが表示さている。その後、ビデオカメラ１００に対してサブカメラとしてスマートフォン２００ａが最初に接続されると、ビデオカメラ１００に対してスマートフォン２００ａからライブ映像の画像データが送信される。これにより、図１１（Ｂ）に示すように、メイン画像３００に対してスマートフォン２００ａによるワイプ画像３０１が表示される。その後、ビデオカメラ１００に対してさらにスマートフォン２００ｂが接続されると、ビデオカメラ１００に対してスマートフォン２００ｂからライブ映像の画像データが送信される。これにより、図１１（Ｃ）に示すように、メイン画像３００に対してスマートフォン２００ｂによるワイプ画像３０２が表示される。
【００５７】
その後に、ビデオカメラ１００に対してさらにスマートフォン２００ｃが接続された場合、既に画像配信が許可された機器の数がその上限値に達しているため、スマートフォン２００ｃに対して、画像配信は許可されない。よって、メイン画像において新たなワイプ画像が追加されることがなく、図１１（Ｃ）に示すような画面が引き続き表示される。
【００５８】
図１２は、画像配信が許可されなかったスマートフォン２００ｃとビデオカメラ１００との間の通信シーケンスを示した図である。図１２に示すように、スマートフォン２００ｃは、ビデオカメラ１００に対して、ライブ映像を示す画像データを配信せず、定期的に（例えば１秒毎に）カメラ情報を要求する。これにより、スマートフォン２００ｃは、自装置に対して画像配信が許可された状態になったか否かを定期的に判断し、画像配信が許可された状態になった場合に、即座に画像データの配信を開始できるようにしている。
【００５９】
〔３．効果、等〕
以上のように、本実施形態のビデオカメラ１００（撮像装置の一例）は、被写体を撮像して画像データを生成する画像センサ１１５（撮像部の一例）と、複数のスマートフォン２００（電子機器の一例）のうち特定のスマートフォン２００から画像データ（例えば、動画データ）を受信するＷｉＦｉモジュール１５５（通信部の一例）と、特定のスマートフォン２００から受信した画像データが示す画像を表示する液晶モニタ１３０（表示部の一例）と、対象機器として予め登録されたスマートフォンから受信した画像データが示す画像を液晶モニタ１３０に表示させるコントローラ１３５とを備える。コントローラ１３５は、第１の所定数（例えば、３）内のスマートフォンを対象機器として登録する（図７参照）。コントローラ１３５は、ＷｉＦｉモジュール１５５を介して画像データを受信するスマートフォンの数を、第１の所定数よりも小さい第２の所定数（例えば、２）以下に制限する。
【００６０】
本実施形態のスマートフォン２００は、ビデオカメラ１００に画像データを送信する機器であって、被写体を撮像して画像データを生成する画像センサ２０３（第２の撮像部の一例）と、ビデオカメラ１００に画像センサ２０３により生成された画像データを送信するＷｉＦｉモジュール２３５（第２の通信部の一例）と、ビデオカメラ１００に対する画像データの送信を制御するコントローラ２２５（第２の制御部の一例）と、を備える。
【００６１】
以上の構成により、ビデオカメラ１００において、ＷｉＦｉモジュール１５５を介して画像データを受信するスマートフォンの数が制限される。これにより、通信回線の帯域不足を防止でき、ビデオカメラ１００において、帯域不足に起因して生じる受信画像再生時の画質の劣化を低減することができる。
【００６２】
〔他の実施の形態〕
本開示は、上記実施の形態に限定されず、種々の実施形態が考えられる。以下、他の実施の形態についてまとめて記載する。
【００６３】
上記実施の形態において、マルチワイプ機能においてサブカメラとして使用する機器としてスマートフォンを用いたが、他の電子機器でもよい。すなわち、ビデオカメラ１００と通信が可能であり、画像データを送信可能な機器であれば、様々な電子機器（例えば、ビデオカメラ、デジタルカメラ、携帯電話、タブレット端末、カメラ付きパーソナルコンピュータ）をサブカメラとして使用できる。
【００６４】
上記実施の形態において、サブカメラとして登録可能な機器の数の上限値である第１の所定数を「３」とし、ビデオカメラ１００に対して画像データの配信を許可する外部機器（サブカメラ）の数の上限値である第２の所定数を「２」としたが、これらの数値は一例である。上記第１及び第２の所定数の値はシステムの用途や制約に応じて適宜設定することができる。
【００６５】
上記実施の形態において、ビデオカメラ１００とスマートフォン２００の間でＷｉＦｉ規格に準拠した通信を介して画像データをやりとりしたが、他の通信インタフェース規格（例えば、Ｂｌｕｅｔｏｏｔｈ（登録商標））に準拠した通信を利用してもよい。
【００６６】
上記実施の形態において、ビデオカメラ１００のコントローラ１３５及びスマートフォン２００のコントローラ２２５は、プログラムを実行するＣＰＵまたはＭＰＵを含む構成を有するとしたが、これらのコントローラ１３５、２２５は、ハードワイヤードな電子回路で構成してもよいし、マイクロコンピュータなどで構成してもよい。すなわち、コントローラ１３５、２２５は、ＣＰＵ、ＭＰＵ、ＤＳＵ、ＦＰＧＡ、ＡＳＩＣまたはマイコン等で構成できる。
【００６７】
上記実施の形態においては、スマートフォンからビデオカメラへ画像データが配信されたが、画像データに代えて他の種類のコンテンツデータ（静止画、音声、等）が配信されてもよい。その場合に、他の種類のコンテンツデータを配信する電子機器の台数を上記の方法と同様の方法で制限してもよい。
【００６８】
以上のように、本開示における技術の例示として、実施の形態を説明した。そのために、添付図面および詳細な説明を提供した。
【００６９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７０】
また、上述の実施の形態は、本開示における技術を例示するためのものであるから、特許請求の範囲またはその均等の範囲において種々の変更、置き換え、付加、省略などを行うことができる。
【産業上の利用可能性】
【００７１】
本開示は、複数の外部機器から画像データを受信し、受信した画像データが示す画像と自機で撮像した画像とを合成した画像を記録可能な撮像装置（例えば、ビデオカメラ）に対して有用である。
【図１】
2020171042.tif 000003
【図２】
2020171042.tif 000004
【図３】
2020171042.tif 000005
【図４】
2020171042.tif 000006
【図５】
2020171042.tif 000007
【図６】
2020171042.tif 000008
【図７】
2020171042.tif 000009
【図８】
2020171042.tif 000010
【図９】
2020171042.tif 000011
【図１０】
2020171042.tif 000012
【図１１】
2020171042.tif 000013
【図１２】
2020171042.tif 000014